(57)【要約】【課題】ギャザーを起立させやすくし、漏れ防止効果を高める。【解決手段】表面シート３と裏面シート２との間に吸収体４が介在され、表面側両側部にそれぞれ弾性伸縮部材８、９の収縮力によって肌側に起立する内側ギャザーＺｉと外側ギャザーＺｏとからなる２重のギャザーＺが備えられた吸収性物品１である。前記ギャザーＺは、内側ギャザーＺｉの起立基端１２から自由端側に離れた位置１３と、外側ギャザーＺｏの起立基端１２から自由端側に離れた位置１４とが連結された連結部１０を備え、前記内側ギャザーＺｉの起立基端部であって吸収性物品１の表面側両側部に長手方向に沿って左右一対でエンボス１１、１１が付与されている。【選択図】図２
2014117364.tif 000002
【特許請求の範囲】
【請求項１】
透液性表面シートと裏面シートとの間に吸収体が介在され、表面側両側部にそれぞれ弾性伸縮部材の収縮力によって肌側に起立する内側ギャザーと外側ギャザーとからなる２重のギャザーが備えられた吸収性物品において、
前記ギャザーは、前記内側ギャザーの起立基端から自由端側に離れた位置と、前記外側ギャザーの起立基端から自由端側に離れた位置とが連結された連結部を備え、前記内側ギャザーの起立基端部であって前記吸収性物品の表面側両側部に長手方向に沿って左右一対でエンボスが付与されていることを特徴とする吸収性物品。
【請求項２】
前記内側ギャザーの起立基端部であって前記吸収性物品の表面側両側部に長手方向に沿って左右一対でエンボスが付与される構成に代えて又はこの構成とともに、前記内側ギャザーに配設された弾性伸縮部材の収縮力が前記外側ギャザーに配設された弾性伸縮部材の収縮力に比べ相対的に高く設定されている構成を備えている請求項１記載の吸収性物品。
【請求項３】
前記内側ギャザーは、前記透液性表面シートによって形成され、前記外側ギャザーは、前記吸収性物品の表面側両側部にそれぞれ長手方向に沿って配設されたサイド不織布によって形成され、
前記連結部は、前記サイド不織布の内側端部を内側に延在させるとともに、この延在部分を前記内側ギャザーに接合するか、前記透液性表面シートの外側端部を外側に延在させるとともに、この延在部分を前記外側ギャザーに接合することによって形成されている請求項１、２いずれかに記載の吸収性物品。
【請求項４】
前記内側ギャザーは、前記透液性表面シートによって形成され、前記外側ギャザーは、前記吸収性物品の表面側両側部にそれぞれ長手方向に沿って配設されたサイド不織布によって形成され、
前記連結部は、連結用シート部材を前記内側ギャザー及び外側ギャザーに跨って接合することによって形成されている請求項１、２いずれかに記載の吸収性物品。
【請求項５】
前記内側ギャザーは、前記透液性表面シートの両側端部に接合したギャザー用シート部材によって形成され、前記外側ギャザーは、前記吸収性物品の表面側両側部にそれぞれ長手方向に沿って配設されたサイド不織布によって形成され、
前記連結部は、前記サイド不織布の内側端部を内側に延在させるとともに、この延在部分を前記内側ギャザーに接合するか、前記ギャザー用シート部材の外側端部を外側に延在させるとともに、この延在部分を前記外側ギャザーに接合することによって形成するか、連結用シート部材を前記内側ギャザー及び外側ギャザーに跨って接合することによって形成されている請求項１、２いずれかに記載の吸収性物品。
【請求項６】
前記内側ギャザーには、体液の吸収性に優れた吸収シートが配設されている請求項１〜５いずれかに記載の吸収性物品。
【請求項７】
前記吸収シートとして、シートに高吸水性樹脂が分散配置された高吸水性樹脂含有シートが用いられ、前記高吸水性樹脂含有シートは、前記エンボスの付与領域には前記高吸水性樹脂が配置されていない請求項６記載の吸収性物品。
【請求項８】
前記連結部は、起立基端からの離間距離が各ギャザーの高さに対して１０％〜５５％の割合の位置に形成されている請求項１〜７いずれかに記載の吸収性物品。
【発明の詳細な説明】
【技術分野】
【０００１】
本発明は、経血やおりもの、尿などを吸収するための生理用ナプキン、パンティライナー、失禁パッド等の吸収性物品であって、表面側の両側部にそれぞれ肌側に起立する２重障壁（ギャザー）を備えた吸収性物品に関する。
【背景技術】
【０００２】
従来より、パンティライナー、生理用ナプキン、失禁パッドなどの吸収性物品として、ポリエチレンシートまたはポリエチレンシートラミネート不織布などの不透液性バックシートと、不織布または透液性プラスチックシートなどの透液性トップシートとの間に綿状パルプ等からなる吸収体を介在したものが知られている。
【０００３】
この種の吸収性物品にも幾多の改良が重ねられ、表面側の両側部にギャザーを形成し、尿や経血、おりもの等の体液の横漏れを効果的に防止するようにしたものが種々提案されている。例えば、下記特許文献１には、吸収層が、防漏層に固定されてなる固定部と、該固定部の長手方向左右両側に位置し、自由端を有する左右一対の自由縁部とにより形成されており、且つ該固定部及び左右一対の自由端部の何れにも吸収体が存在するようになされている吸収性物品が開示されている。
【０００４】
また、下記特許文献２には、吸収部は表面層の幅方向左右両側縁の内方に一対の突堤が形成され、且つ一対の突堤間にポケット部が形成されるように配設されている吸収性物品が開示されている。
【０００５】
さらに、下記特許文献３には、吸収体の幅方向両側縁のそれぞれには、サイドシートと不透水性シートとからなるサイドフラップが形成されており、該サイドフラップの自由端部の縁には少なくとも１つの第１弾性部材が、サイドフラップの長手方向に自由端部にほぼ沿って接合されており、前記サイドシートをサイドフラップの吸収体の端縁側から内方に延出させることにより立体カフスが形成されており、該立体カフスの自由端部の縁には少なくとも１つの第２の弾性部材が、該立体カフスの長手方向に自由端部にほぼ沿って接合されている吸収性物品が開示されている。
【先行技術文献】
【特許文献】
【０００６】
【特許文献１】特開平１１−１２８２７０号公報
【特許文献２】特開平１０−１１８１１８号公報
【特許文献３】特許第４５９４７２０号公報
【発明の概要】
【発明が解決しようとする課題】
【０００７】
しかしながら、上記特許文献１、２記載の吸収性物品では、肌側に起立するギャザーが左右にそれぞれ１重でしか設けられていないため、体液がこれを乗り越えた場合には横漏れが発生する問題があった。
【０００８】
一方、上記特許文献３記載の吸収性物品では、表面側に起立するギャザーが左右にそれぞれ２重で設けられているため、体液が内側のギャザーを乗り越えても、外側のギャザーで堰き止められるので、１重のものに比べれば横漏れ防止効果は高くなる。
【０００９】
ところが、体圧などによって２重のギャザーのうち何れか一方のギャザーが潰れてしまうと、１重のギャザーと同様に横漏れが発生しやすいという問題があった。特に、外側ギャザーは外方側に張り出して設けられているため、脚の付け根部分に当たって脚の動きの影響を受けやすく、装着時に潰れやすいという不具合があった。
【００１０】
また、２重のギャザーを備えた吸収性物品であっても、特に体液排出量の多い失禁パッドなどの場合には、内側のギャザーを乗り越えて外側に流れ出す体液が多くなるため、外側ギャザーで受け止めきれずに漏れが発生するという問題があった。
【００１１】
そこで本発明の第１の課題は、ギャザーを起立させやすくし、漏れ防止効果を高めた吸収性物品を提供することにある。
【００１２】
また、第２の課題は、排出された体液の大部分を内側ギャザーで受け止めて、外側ギャザーにまで流れ出るのを極力少なくした吸収性物品を提供することにある。
【課題を解決するための手段】
【００１３】
上記第１の課題を解決するために請求項１に係る本発明として、透液性表面シートと裏面シートとの間に吸収体が介在され、表面側両側部にそれぞれ弾性伸縮部材の収縮力によって肌側に起立する内側ギャザーと外側ギャザーとからなる２重のギャザーが備えられた吸収性物品において、
前記ギャザーは、前記内側ギャザーの起立基端から自由端側に離れた位置と、前記外側ギャザーの起立基端から自由端側に離れた位置とが連結された連結部を備え、前記内側ギャザーの起立基端部であって前記吸収性物品の表面側両側部に長手方向に沿って左右一対でエンボスが付与されていることを特徴とする吸収性物品が提供される。
【００１４】
上記請求項１記載の発明では、内側ギャザーと外側ギャザーとからなる２重のギャザーに対し、前記内側ギャザーの起立基端から自由端側に離れた位置と、前記外側ギャザーの起立基端から自由端側に離れた位置とが連結された連結部が備えられ、且つ前記内側ギャザーの起立基端部であって前記吸収性物品の表面側両側部に長手方向に沿って左右一対でエンボスが付与されている。このように内側ギャザー及び外側ギャザーがそれぞれ起立方向の中間位置で前記連結部によって連結されているため、内側ギャザーが起立するのに連動して外側ギャザーが引き上げられて起立しやすくなっている。さらに、前記内側ギャザーを先導的に起立させるため、前記内側ギャザーの起立基端部に前記エンボスが付与してある。すなわち、内側ギャザーの起立基端部に表面側からの圧搾によってエンボスを施すことにより、このエンボスより外側に形成される内側ギャザーを肌側に起立させるようにしている。このため、内側ギャザーが先導的に肌側に起立しやすくなり、これに追従するように外側ギャザーが引き上げられるようになる。
【００１５】
このように内側ギャザーの起立に連関して外側ギャザーも引き上げられるため、装着時に体圧等を受けた場合でも２重ギャザーのそれぞれの起立状態が維持されやすくなり、体液の横漏れが確実に防止できるようになる。
【００１６】
請求項２に係る本発明として、前記内側ギャザーの起立基端部であって前記吸収性物品の表面側両側部に長手方向に沿って左右一対でエンボスが付与される構成に代えて又はこの構成とともに、前記内側ギャザーに配設された弾性伸縮部材の収縮力が前記外側ギャザーに配設された弾性伸縮部材の収縮力に比べ相対的に高く設定されている構成を備えている請求項１記載の吸収性物品が提供される。
【００１７】
上記請求項２記載の発明では、前記内側ギャザーを起立させるための構成として、前述のエンボスを付与する構成に代えて又はこの構成とともに、前記内側ギャザーに配設された弾性伸縮部材の収縮力を、前記外側ギャザーに配設された弾性伸縮部材の収縮力に比べ相対的に高く設定する構成を備えている。内側ギャザーに配設された弾性伸縮部材の収縮力を相対的に高く設定することによって、内側ギャザーが外側ギャザーより肌側に起立しやすくなり、これに伴って前記連結部によって連結された外側ギャザーも肌側に起立しやすくなる。
【００１８】
請求項３に係る本発明として、前記内側ギャザーは、前記透液性表面シートによって形成され、前記外側ギャザーは、前記吸収性物品の表面側両側部にそれぞれ長手方向に沿って配設されたサイド不織布によって形成され、
前記連結部は、前記サイド不織布の内側端部を内側に延在させるとともに、この延在部分を前記内側ギャザーに接合するか、前記透液性表面シートの外側端部を外側に延在させるとともに、この延在部分を前記外側ギャザーに接合することによって形成されている請求項１、２いずれかに記載の吸収性物品が提供される。
【００１９】
上記請求項３記載の発明では、前記内側ギャザー、外側ギャザー及び連結部の具体的な構造に関する第１の形態について規定している。本形態では、内側ギャザー又は外側ギャザーの構成部材を他方側のギャザーに延在させて接合することによって連結部を構成しているため、構造が単純で製造が容易である。なお、前記透液性表面シートとしては一般に親水性素材が用いられるため内側ギャザーが親水性となって体液の吸収性に優れる効果がある一方で、外側ギャザーを形成するサイド不織布については、体液の浸み出しを防止するとともに肌への湿り感を無くすため、撥水性を示す不織布を使用することが好ましい。
【００２０】
請求項４に係る本発明として、前記内側ギャザーは、前記透液性表面シートによって形成され、前記外側ギャザーは、前記吸収性物品の表面側両側部にそれぞれ長手方向に沿って配設されたサイド不織布によって形成され、
前記連結部は、連結用シート部材を前記内側ギャザー及び外側ギャザーに跨って接合することによって形成されている請求項１、２いずれかに記載の吸収性物品が提供される。
【００２１】
上記請求項４記載の発明では、内側ギャザーを透液性表面シートによって形成し、外側ギャザーをサイド不織布によって形成した上で、前記連結部を構成する部材はこれらとは別部材の連結用シート部材を用いているため、前記連結用シート部材として親水性又は撥水性など任意の特性を示す素材を用いることができるようになる。
【００２２】
請求項５に係る本発明として、前記内側ギャザーは、前記透液性表面シートの両側端部に接合したギャザー用シート部材によって形成され、前記外側ギャザーは、前記吸収性物品の表面側両側部にそれぞれ長手方向に沿って配設されたサイド不織布によって形成され、
前記連結部は、前記サイド不織布の内側端部を内側に延在させるとともに、この延在部分を前記内側ギャザーに接合するか、前記ギャザー用シート部材の外側端部を外側に延在させるとともに、この延在部分を前記外側ギャザーに接合することによって形成するか、連結用シート部材を前記内側ギャザー及び外側ギャザーに跨って接合することによって形成されている請求項１、２いずれかに記載の吸収性物品が提供される。
【００２３】
上記請求項５記載の発明では、内側ギャザーを透液性表面シートの両側端部に接合したギャザー用シート部材によって形成しているため、前記ギャザー用シート部材として撥水性を示す部材を用いることも可能であり、この場合には内側ギャザーについても体液の浸み出しが防止できるとともに肌への湿り感を無くすことができるようになる。
【００２４】
上記第２の課題を解決するために請求項６に係る本発明として、前記内側ギャザーには、体液の吸収性に優れた吸収シートが配設されている請求項１〜５いずれかに記載の吸収性物品が提供される。
【００２５】
上記請求項６記載の発明では、内側ギャザーで排出された体液の大部分を受け止めて、外側ギャザーにまで体液が流れ出るのを極力少なくするため、内側ギャザーに体液の吸収性に優れた吸収シートを配設するようにしている。すなわち、内側ギャザー自体に体液吸収能を持たせることによって、体液排出量が多い場合でも、体液の大部分を内側ギャザーで堰き止めることが可能となり、外側ギャザーにまで流れ出る体液が極力少なくなるので、漏れが確実に防止できるようになる。前記吸収シートとしては、体液吸収性に優れたシート部材であれば良く、例えばエアレイド不織布やシートに高吸水性樹脂を分散配置したシート部材などを用いることができる。
【００２６】
請求項７に係る本発明として、前記吸収シートとして、シートに高吸水性樹脂が分散配置された高吸水性樹脂含有シートが用いられ、前記高吸水性樹脂含有シートは、前記エンボスの付与領域には前記高吸水性樹脂が配置されていない請求項６記載の吸収性物品が提供される。
【００２７】
上記請求項７記載の発明では、内側ギャザーに配設される前記吸収シートとして高吸水性樹脂含有シートを用いた場合について規定し、この吸収シートが内側ギャザーの起立基端部に付与されるエンボスの付与領域にかかる場合には、このエンボス部分に高吸水性樹脂が存在すると圧搾が不十分になるため、この領域には高吸水性樹脂を配置しないようにしている。
【００２８】
請求項８に係る本発明として、前記連結部は、起立基端からの離間距離が各ギャザーの高さに対して１０％〜５５％の割合の位置に形成されている請求項１〜７いずれかに記載の吸収性物品が提供される。
【００２９】
上記請求項８記載の発明では、内側ギャザーと外側ギャザーとを繋ぐ前記連結部の接続位置として、起立基端からの離間距離が、内側ギャザー及び外側ギャザーのそれぞれについて、各ギャザーの高さに対して１０％〜５５％の割合の位置になるようにしている。このような位置に連結部を設けることによって、内側ギャザーの起立に追従して外側ギャザーが起立しやすくなる。
【発明の効果】
【００３０】
以上詳説のとおり本発明によれば、ギャザーが起立しやすく、漏れ防止効果の高い吸収性物品が提供できるようになる。また、排出された体液の大部分を内側ギャザーで受け止めることができ、外側ギャザーにまで流れ出るのが少なくできるようになる。
【図面の簡単な説明】
【００３１】
【図１】本発明に係る吸収性物品１の一部破断展開図である。
【図２】そのII−II線矢視図である。
【図３】図１のIII−III線矢視図である。
【図４】ギャザーＺの他の形態を示す図１のII−II線矢視図である。
【図５】ギャザーＺの他の形態を示す図１のII−II線矢視図である。
【図６】ギャザーＺの他の形態を示す図１のII−II線矢視図である。
【図７】第２形態例に係る吸収性物品（軽失禁パッド）を示す一部破断展開図である。
【図８】図７のVIII−VIII線矢視図である。
【図９】第２形態例に係る吸収性物品の他の形態を示す展開図である。
【図１０】図９のＸ−Ｘ線矢視図である。
【図１１】吸収性物品の製造工程を示す、(A)〜(C)は上層パーツの横断面図、(D)は下層パーツの横断面図である。
【発明を実施するための形態】
【００３２】
以下、本発明の実施の形態について図面を参照しながら詳述する。
【００３３】
〔吸収性物品１の基本構成〕
本発明に係る吸収性物品１は、図１〜図３に示されるように、不透液性裏面シート２と、透液性表面シート３（以下、単に表面シートともいう。）との間に、吸収体４または図示しないがクレープ紙などによって囲繞された吸収体４が介在され、表面側両側部に前記吸収体４の両側部を起立基点１２とし、かつ少なくとも体液排出部Ｈを含む股間部領域であって体液排出部Ｈから前後方向に所定の区間内において肌側に突出して設けられる左右一対の内側ギャザーＺｉと外側ギャザーＺｏとからなる２重のギャザーＺが備えられた構造を有している。
【００３４】
以下、さらに前記吸収性物品１の構造について詳述すると、
前記不透液性裏面シート２は、ポリエチレン、ポリプロピレン等の少なくとも遮水性を有するシート材が用いられるが、この他に防水フィルムを介在して実質的に不透液性を確保した上で不織布シート（この場合には、防水フィルムと不織布とで不透液性裏面シートを構成する。）などを用いることができる。近年はムレ防止の観点から透湿性を有するものが好適に用いられる傾向にある。この遮水・透湿性シート材としては、ポリエチレンやポリプロピレン等のオレフィン系樹脂中に無機充填剤を溶融混練してシートを成形した後、一軸または二軸方向に延伸することにより得られる微多孔性シートが好適に用いられる。
【００３５】
次いで、前記透液性表面シート３は、有孔または無孔の不織布や多孔性プラスチックシートなどが好適に用いられる。不織布を構成する素材繊維としては、たとえばポリエチレンまたはポリプロピレン等のオレフィン系、ポリエステル系、ポリアミド系等の合成繊維の他、レーヨンやキュプラ等の再生繊維、綿等の天然繊維とすることができ、スパンレース法、スパンボンド法、サーマルボンド法、メルトブローン法、ニードルパンチ法等の適宜の加工法によって得られた不織布を用いることができる。これらの加工法の内、スパンレース法は柔軟性、ドレープ性に富む点で優れ、サーマルボンド法は嵩高でソフトである点で優れている。
【００３６】
前記不透液性裏面シート２と透液性表面シート３との間に介在される吸収体４は、たとえばフラッフ状パルプと高吸水性樹脂とにより構成されている。前記高吸水性樹脂は吸収体を構成するパルプ中に、例えば粒状粉として混入されている。前記パルプとしては、木材から得られる化学パルプ、溶解パルプ等のセルロース繊維や、レーヨン、アセテート等の人工セルロース繊維からなるものが挙げられ、広葉樹パルプよりは繊維長の長い針葉樹パルプの方が機能および価格の面で好適に使用される。前述のように、吸収体４を囲繞するクレープ紙（図示せず）を設ける場合には、結果的に透液性表面シート３と吸収体４との間にクレープ紙が介在することになり、吸収性に優れる前記クレープ紙によって体液を速やかに拡散させるとともに、これら体液の逆戻りを防止するようになる。
【００３７】
また、前記吸収体４には合成繊維を混合しても良い。前記合成繊維は、例えばポリエチレン又はポリプロピレン等のポリオレフィン系、ポリエチレンテレフタレートやポリブチレンテレフタレート等のポリエステル系、ナイロンなどのポリアミド系、及びこれらの共重合体などを使用することができるし、これら２種を混合したものであってもよい。また、融点の高い繊維を芯とし融点の低い繊維を鞘とした芯鞘型繊維やサイドバイサイド型繊維、分割型繊維などの複合繊維も用いることができる。前記合成繊維は、体液に対する親和性を有するように、疎水性繊維の場合には親水化剤によって表面処理したものを用いるのが望ましい。
【００３８】
前記高吸水性樹脂としては、たとえばポリアクリル酸塩架橋物、自己架橋したポリアクリル酸塩、アクリル酸エステル−酢酸ビニル共重合体架橋物のケン化物、イソブチレン・無水マレイン酸共重合体架橋物、ポリスルホン酸塩架橋物や、ポリエチレンオキシド、ポリアクリルアミドなどの水膨潤性ポリマーを部分架橋したもの等が挙げられる。これらの内、吸水量、吸水速度に優れるアクリル酸またはアクリル酸塩系のものが好適である。前記吸水性能を有する高吸水性樹脂は製造プロセスにおいて、架橋密度および架橋密度勾配を調整することにより吸水力と吸水速度の調整が可能である。前記高吸水性樹脂の含有率は吸収体重量の１０〜６０％とするのが望ましい。高吸水性樹脂含有率が１０％未満の場合には、十分な吸収能を与えることができず、６０％を超える場合にはパルプ繊維間の絡み合いが無くなり、シート強度が低下し破れや割れ等が発生し易くなる。
【００３９】
前記吸収体４は、少なくとも体液排出部Ｈを含む股間部領域において、吸収体厚を周囲より厚く増厚した中高部４Ａを有している。前記中高部４Ａは、幅方向中央部に物品長手方向に沿って使用面側に増厚された吸収体領域である。前記中高部４Ａを形成するには、吸収体４の製造時に幅方向中央部を厚く積繊することにり下層側の吸収体と一体的に形成してもよいが、下層吸収体の上面に前記中高部４Ａに対応する上層吸収体を積層することにより形成することが好ましい。
【００４０】
本吸収性物品１の表面がわ両側部にはそれぞれ長手方向に沿って、かつ吸収性物品１の全長に亘ってサイド不織布７，７が設けられているとともに、このサイド不織布７，７の外側部分が側方に延在されるとともに、前記不透液性裏面シート２が側方に延在され、これら側方に延在されたサイド不織布７部分と不透液性裏面シート２部分とをホットメルト接着剤等により接合して側部フラップが形成されている。
【００４１】
前記サイド不織布７としては、撥水処理不織布を用いることが好ましい。詳しくは、体液が浸透するのを防止する、あるいは肌触り感を高めるなどのため、シリコン系、パラフィン系、アルキルクロミッククロリド系撥水剤などをコーティングした撥水処理不織布を用いるのが望ましい。かかるサイド不織布７としては、天然繊維、合成繊維または再生繊維などを素材として、適宜の加工法によって形成されたものを使用することができるが、好ましくは目付け量を抑えて通気性を持たせた不織布を用いるのがよい。
【００４２】
〔ギャザーＺについて〕
本吸収性物品１では、前記ギャザーＺは、内側ギャザーＺｉと外側ギャザーＺｏとからなる２重のギャザー構造を有している。前記内側ギャザーＺｉ及び外側ギャザーＺｏはそれぞれ、種々の形態で形成することが可能である。
【００４３】
図２に示される例では、前記内側ギャザーＺｉは、前記吸収体４の中高部４Ａを覆う部分より外方側の前記表面シート３の両側部をそれぞれ裏面側（非肌当接面側）に折り返して二重シート部分を形成するとともに、この二重シート内部に、その折り返し端側に両端または長手方向の適宜の位置が固定された１または複数の、図示例では２本の糸状弾性伸縮部材８、８を配設し、その収縮力によって前記二重シート部分が所定の起立基点１２を基点として肌側に起立するように形成されている。
【００４４】
また、前記外側ギャザーＺｏは、同じく図２に示される例では、前記吸収体４より幅方向外方側に延在する前記サイド不織布７を裏面側（非肌当接面側）に折り返して二重シート部分を形成するとともに、この二重シート内部に、その折り返し端側に両端または長手方向の適宜の位置が固定された１または複数の、図示例では１本の糸状弾性伸縮部材９を配設し、その収縮力によって吸収性物品１の側方部分が所定の起立基点１２を基点として肌側に起立するように形成されている。なお、図示例では、内側ギャザーＺｉの前記起立基点１２と、外側ギャザーＺｏの前記起立基点１２とは、ほぼ一致している。
【００４５】
一方、物品長手方向前後部ではそれぞれ、図３に示されるように、前記表面シート３とサイド不織布７とが物品前後端から所定の内方側位置にかけて接着されるとともに、吸収性物品１の表面側に積層状態で接着されている。この物品長手方向前後部では、糸状弾性伸縮部材８、９が表面シート３又はサイド不織布７に固定されておらず、糸状弾性伸縮部材８、９の収縮力が作用していない。
【００４６】
更に、前記ギャザーＺは、前記内側ギャザーＺｉの起立基端１２から自由端側に離れた位置１３と、前記外側ギャザーＺｏの起立基端１２から自由端側に離れた位置１４とが連結された連結部１０を備えている。前記連結部１０は、内側ギャザーＺｉと外側ギャザーＺｏの起立中間部同士を所定のシートで接続した部分であり、後段で詳述するように種々の形態で形成することが可能である。前記連結部１０を設けることによって、内側ギャザーＺｉの起立基端１２から連結部１０までの間において、表面シート３が吸収体４から離間した空間部１５が形成されるようになる。
【００４７】
前記連結部１０で内側ギャザーＺｉ及び外側ギャザーＺｏの中間部同士を接続することによって、内側ギャザーＺｉが起立するのに追従して外側ギャザーＺｏが引き上げられ、外側ギャザーＺｏの起立を補助している。
【００４８】
また、前記内側ギャザーＺｉの起立基端部１２であって吸収性物品１の表面側両側部には、長手方向に沿って左右一対でエンボス１１、１１が付与されている。前記エンボス１１は、少なくとも前記内側ギャザーＺｉが肌側に起立する区間であって体液排出部Ｈを含む股間部領域に、前記吸収体４の中高部４Ａのほぼ側縁に沿って、前記透液性表面シート３の上面側から吸収体４に至る深さで付与されている。このエンボス１１は、内側ギャザーＺｉの起立基端となっている。すなわち、内側ギャザーＺｉは、前記エンボス１１を基点としてこれより外側の表面シート３部分が肌側に起立するように形成されている。
【００４９】
前記内側ギャザーＺｉの起立基端部１２にエンボス１１を付与することによって、このエンボス１１より外側部分が反動的に肌側に持ち上がるように変形するため内側ギャザーＺｉが肌側に起立しやすくなるとともに、このエンボス１１を可撓点として内側ギャザーＺｉが糸状弾性伸縮部材８の収縮力によって肌側に変形しやすくなる。従って、内側ギャザーＺｉが先導的に肌側に起立して、これに追従するように前記連結部１０で連結された外側ギャザーＺｏが引っ張られるようにして肌側に起立するようになる結果、内側ギャザーＺｉ及び外側ギャザーＺｏがともに肌側に起立しやすくなる。
【００５０】
なお、図示例では、前記外側ギャザーＺｏも内側ギャザーＺｉと同様に前記エンボス１１を起立基端１２とし、これより外側の吸収体４及びサイド不織布７が肌側に起立するように形成されている。
【００５１】
前記エンボス１１は、吸収性物品のほぼ長手方向に沿って連続的又は間欠的な直線、点線、内側又は外側に凸の曲線、波状線などのパターンで形成することが可能である。なお、図示例では、吸収性物品のほぼ長手方向に沿う連続的な内側に凸の曲線によって形成されている。
【００５２】
前記内側ギャザーＺｉを先導的に起立させるための手段として、上述のエンボス１１を付与する手段に代えて又はこの手段とともに、次に示すような手段を採用することも可能である。
【００５３】
すなわち、前記内側ギャザーＺｉに配設された糸状弾性伸縮部材８、８の収縮力を、前記外側ギャザーＺｏに配設された糸状弾性伸縮部材９の収縮力に比べて相対的に高く設定することができる。これによって、外側ギャザーＺｏより内側ギャザーＺｉの方が肌側に起立しやすくなり、これに追従するように前記連結部１０によって連結された外側ギャザーＺｏが引っ張られるようにして肌側に起立しやすくなる。糸状弾性伸縮部材８の収縮力を相対的に高く設定するには、伸縮部材配設時の伸張率を高く設定したり、伸縮部材の本数を多く配設したり、伸縮部材の太さを太くしたりすることができる。
【００５４】
ところで、前記ギャザーＺ及び連結部１０は種々の形態で形成することが可能である。第１の形態としては、上述の通り、図２に示されるように、内側ギャザーＺｉを前記表面シート３によって形成するとともに、外側ギャザーＺｏを前記サイド不織布７によって形成する。そして、前記連結部１０は、前記サイド不織布７の幅方向内側端部を内側に延在させるとともに、この延在部分を外側に折り返し、この折り返し部分を内側ギャザーＺｉに接着剤や超音波シール又はヒートシール等によって接合するか、前記表面シート３の幅方向外側端部を内側に延在させるとともに、この延在部分を外側に折り返し、この折り返し部分を外側ギャザーＺｏに接着剤や超音波シール又はヒートシール等によって接合することによって形成することができる。本形態にかかる連結部１０は、構造が単純で製造が容易である。また、前記内側ギャザーＺｉを構成する表面シート３は一般的に親水性を示す素材が用いられるため、内側ギャザーＺｉが親水性となって体液の吸収性に優れるようになるなどの効果がある一方で、外側ギャザーＺｏを構成するサイド不織布７は前述の通り撥水性を示す素材が用いられるので、体液の浸み出しが防止できるとともに肌への湿り感を無くすことができるようになる。また、連結部１０は、延在させるシートの特性によってそれぞれ撥水性又は親水性とすることができる。
【００５５】
なお、図２に示される例ではサイド不織布７の幅方向内側端部を外方側に折り返し、この折返し部分を内側ギャザーＺｉに接合するようにしたが、図６に示されるように、前記表面シート３及びサイド不織布７の端部をそれぞれ内側に延在させ、この延在部分を対面させて、この対面部分で接着剤や超音波シール又はヒートシール等によって接合してもよい。
【００５６】
次に、前記ギャザーＺ及び連結部１０の第２の形態としては、図４に示されるように、内側ギャザーＺｉを前記表面シート３によって形成するとともに、外側ギャザーＺｏを前記サイド不織布７によって形成した上で、前記連結部１０を、前記表面シート３及びサイド不織布７とは別部材の連結用シート部材１６を内側ギャザーＺｉ及び外側ギャザーＺｏに跨って接合することによって形成したものである。前記連結用シート部材１６としては、撥水性又は親水性を示す素材を任意に使用できるが、体液の浸み出しを防止する点から撥水性を示すものを使用することが望ましい。
【００５７】
また、第３の形態としては、図５に示されるように、内側ギャザーＺｉを、前記表面シート３の両側端部に接合したギャザー用シート部材１７によって形成するとともに、外側ギャザーＺｏを前記サイド不織布７によって形成した上で、前記連結部１０を、上記第１の形態のように、前記サイド不織布７の内側端部を内側に延在させるとともに、この延在部分を内側ギャザーＺｉに接合するか、前記ギャザー用シート部材１７の外側端部を外側に延在させるとともに、この延在部分を外側ギャザーＺｏに接合することによって形成するか、上記第２の形態のように前記連結用シート部材１６を内側ギャザーＺｉ及び外側ギャザーＺｏに跨って接合することによって形成したものである。前記ギャザー用シート部材１７は、二重に折り返した二重シートとされ、この二重シート内部に表面シート３の側端部を介在させ接着剤やヒートシール等で接合している。二重シートのうち表面側の前記ギャザー用シート部材１７の端部は、表面シート３との固定を図るとともに、体液の堰き止め効果を向上させるため、前記エンボス１１まで延在させ、表面シート３とともにエンボスを付与することが好ましい。前記ギャザー用シート部材１７としては、撥水性又は親水性を示す不織布を用いることができるが、体液の浸み出しを防止するとともに肌への湿り感を無くすために撥水性を示す不織布を使用することが好ましい。
【００５８】
続いて、第２形態例に係る吸収性物品１Ａについて説明する。本吸収性物品１Ａでは、図７及び図８に示されるように、前記内側ギャザーＺｉに、体液の吸収性に優れた吸収シート１８を配設してある。本吸収性物品１Ａは、特に、体液（尿）の吸収量が多くなる軽失禁パッドとして使用する場合に好適である。前記吸収シート１８を設けることによって、内側ギャザーＺｉにも体液保持能力が備えられるようになるため、排出された尿のほとんど全てを左右の内側ギャザーＺｉ、Ｚｉ間で受け止めることができるようになり、この内側ギャザーＺｉを越えて外側ギャザーＺｏに浸み出る体液を極力少なくすることが可能となる。
【００５９】
前記吸収シート１８としては、体液吸収性に優れたシート部材であれば良く、例えば不織布やクレープ紙、パルプシートなどに高吸水性樹脂を分散配置したシート部材（以下、「高吸水性樹脂含有シート」という。）、又はパルプに高吸水性樹脂を混入したエアレイドなどを用いることが可能である。前記高吸水性樹脂含有シートの場合、高吸水性樹脂の目付は５〜３００ｇ／ｍ２とするのがよく、１０〜２５０ｇ／ｍ２が好ましい。一方前記エアレイドの場合、総目付は９０〜３００ｇ／ｍ２、好ましくは１００〜２５０ｇ／ｍ２とするのがよく、このうち高吸水性樹脂の量は体積比で全体の５〜３０％程度が好ましい。
【００６０】
前記吸収シート１８は、図８に示されるように、内側ギャザーＺｉを形成する部材（表面シート３）の二重シート内部に接着剤やヒートシール等の接合手段によって固定されている。また、前記吸収シート１８は、内側ギャザーＺｉの起立基端１２から糸状弾性伸縮部材８、８の配設領域近傍の高さにかけて配設されている。前記吸収シート１８の幅方向内側端部は、前記エンボス１１にかかる位置まで設けられ、前記表面シート３とともに圧搾固定されている。これによって、吸収シート１８の固定が図られるとともに、体液の堰き止め効果が向上でき、且つ吸収シート１８に吸収された体液が素早く吸収体４に移行できるようになる。一方、前記吸収シート１８は、物品長手方向に対しては、体液排出部Ｈを含む股間部領域に配設され、且つ前記糸状弾性伸縮部材８、８の収縮力によって内側ギャザーＺｉが肌側に起立する範囲内に配設されている。
【００６１】
前記吸収シート１８として、前述の高吸水性樹脂含有シートを用いる場合、前記高吸水性樹脂含有シートは、前記エンボス１１の付与領域には前記高吸水性樹脂を配置しないことが望ましい。エンボス１１の付与領域に高吸水性樹脂が存在すると、エンボスによる圧搾が不十分になることがあるため望ましくない。なお、図８に示される例は、吸収シート１８として高吸水性樹脂含有シートを用いた場合であり、高吸水性樹脂が分散配置された部分を肉厚に図示しこの部分に斜線を施すことによって表現している。
【００６２】
前記吸収シート１８は、図示しないが、前記吸収体４が下層吸収体とこの上層側に積層された前記中高部４Ａを形成する上層吸収体とから構成される場合、吸収シート１８の幅方向内側端部を吸収性物品１Ａの中央側に延在させ、この延在部分を前記上層吸収体と下層吸収体との間に介在させることも可能である。更に、左右の内側ギャザーＺｉ、Ｚｉに配設される吸収シート１８が前記上層吸収体と下層吸収体との間を通って連続するように形成してもよい。
【００６３】
ところで、前記吸収体４について中高部４Ａの形成領域は、物品長手方向に対し体液排出部Ｈを含む股間部領域のみとし、図９に示されるように、この中高部４Ａの長手方向両端部にほぼ物品幅方向に沿ってエンボス１９、１９を付与することができる。これによって、吸収体４の中高部４Ａは、長手方向両端部に付与された前記エンボス１９、１９と、幅方向両側部に付与された前記エンボス１１、１１とによって囲まれた領域に設けられるようになる。
【００６４】
次に、前記吸収性物品１の各部の寸法について、図９及び図１０に示される第２形態例に係る吸収性物品１Ａに基づいて詳細に説明する。前記内側ギャザーＺｉの幅Ａ（起立基端１２からギャザー先端までのギャザー高さ）は、８〜４０ｍｍ、好ましくは１０〜３７ｍｍである。また、前記外側ギャザーＺｏの幅Ｂは、１０〜５０ｍｍ、好ましくは１５〜４５ｍｍである。さらに、左右の内側ギャザーＺｉ、Ｚｉの物品幅方向の離間幅Ｄ（左右のエンボス１１、１１の離間幅）は、吸収性物品１の全体の幅の４０〜８５％、好ましくは４５〜８０％とするのがよい。
【００６５】
前記吸収シート１８の物品長手方向の長さは、吸収性物品１Ａの全体の長さの２５〜６５％、好ましくは３０〜６０％とするのがよい。前記糸状弾性伸縮部材８は、前記吸収シート１８の前後端部より外側に延出して設けられ、この延出部分の寸法は、前側部分が５〜５０ｍｍ、好ましくは１０〜４５とするのが良く、後側部分が５〜８５ｍｍ、好ましくは１０〜８０ｍｍとするのがよい。
【００６６】
また、前記糸状弾性伸縮部材８、９は、先端側の伸縮部材が内側ギャザーＺｉ又は外側ギャザーＺｏの先端からの距離が５ｍｍ以内となるように配置する。複数本配置する場合は、これより基端側の伸縮部材は任意の位置に配置することができる。前記糸状弾性伸縮部材８、９の太さは、３００〜１０００ｄｔとするのがよく、４００〜５５０ｄｔが好ましい。糸状弾性伸縮部材８、９の素材としては、吸収性のウレタンフォームを用いても良い。糸状弾性伸縮部材８、９の伸長率（テンション）は、吸収体４の厚みにもよるが、１１０〜１９０％（自然状態を１００％としこの状態からの伸び率）、好ましくは１２０〜１８０％とするのがよい。
【００６７】
また、前記連結部１０は、内側ギャザーＺｉの起立基端１２からの離間距離Ｇが、内側ギャザーＺｉ全体の高さＡに対して１０〜５５％（Ｇ／Ａ＝０．１〜０．５５）、好ましくは１５〜５０％とするのがよく、外側ギャザーＺｏの起立基端１２からの離間距離Ｈについても同様に、外側ギャザーＺｏ全体の高さＢに対して１０〜５５％（Ｈ／Ｂ＝０．１〜０．５５）、好ましくは１５〜５０％とするのがよい。この範囲に連結部１０を設けることによって、内側ギャザーＺｉの起立に追従して外側ギャザーＺｏが起立しやすくなる。なお、前記連結部１０の起立基端１２からの距離をこのように規定することによって、前記内側ギャザーＺｉ先端から連結部１０の基端部までの高さは、ギャザー全体の高さに対して４５〜９０％、好ましくは５０〜８５％となる。
【００６８】
前記吸収体４の総目付は、パルプが１００〜６００ｇ／ｍ２、好ましくは１２０〜５８０ｇ／ｍ２とするのがよく、ポリマーが０〜２００ｇ／ｍ２、好ましくは２〜１５０ｇ／ｍ２とするのがよい。また、内側ギャザーＺｉに吸収シート１８を配置した軽失禁用パッドとして用いる場合、吸収体４の総目付は、パルプが９０〜１０００ｇ／ｍ２、好ましくは１００〜９００ｇ／ｍ２とするのがよく、ポリマーが１０〜５００ｇ／ｍ２、好ましくは１５〜４００ｇ／ｍ２とするのがよい。
【００６９】
以上の構成からなる本吸収性物品１・１Ａを製造するに際しては、図１１に示されるように、上層パーツ（(A)〜(C)）と下層パーツ（(D)）を別工程で製造し、最終的にこれら上層パーツと下層パーツとを接着剤や超音波シール等で接合した後、表面側両側部にエンボス１１、１１を付与することによって製品が完成する。前記上層パーツは、各実施形態に応じて同図１１(A)〜(C)に示されるように、表面シート３とこの両側部に連続的に備えられる内側ギャザー部分とからなる。一方、前記下層パーツは、同図１１(D)に示されるように、不透液性裏面シート２の上層に吸収体４が配置されるとともに、その表面側両側部にサイド不織布７、７が配置されたものである。
【００７０】
〔他の形態例〕
上記形態例では、内側ギャザーＺｉの起立基端１２と外側ギャザーＺｏの起立基端１２がほぼ一致する位置に形成されていたが、内側ギャザーＺｉと外側ギャザーＺｏの起立基端を一致させなくても良い。すなわち、内側ギャザーＺｉの起立基端より外側ギャザーＺｏの起立基端が幅方向外側にずれた位置に形成されるようにしてもよい。
【符号の説明】
【００７１】
１・１Ａ…吸収性物品、２…不透液性裏面シート、３…透液性表面シート（表面シート）、４…吸収体、７…サイド不織布、８・９…糸状弾性伸縮部材、１０…連結部、１１…エンボス、１２…起立基端、１５…空間部、１６…連結用シート部材、１７…ギャザー用シート部材、１８…吸収シート
【図１】
2014117364.tif 000003
【図２】
2014117364.tif 000004
【図３】
2014117364.tif 000005
【図４】
2014117364.tif 000006
【図５】
2014117364.tif 000007
【図６】
2014117364.tif 000008
【図７】
2014117364.tif 000009
【図８】
2014117364.tif 000010
【図９】
2014117364.tif 000011
【図１０】
2014117364.tif 000012
【図１１】
2014117364.tif 000013